【手続補正書】
【提出日】平成17年7月13日(2005.7.13)
【手続補正１】
【補正対象書類名】明細書
【補正対象項目名】全文
【補正方法】変更
【補正の内容】
【書類名】明細書
【発明の名称】ギャザーフラップを有する生理用ナプキン
【特許請求の範囲】
【請求項１】使用面側から体液を受け入れて内部に保持する吸収要素と、
少なくとも長手方向中間において、前記吸収要素の裏面側にあって、かつ前記吸収要素の両側縁より幅方向にそれぞれ延在するギャザーフラップと、
前記ギャザーフラップより裏面側にあって衣類側への体液漏れを防止する漏れ防止シートとを備え、
前記ギャザーフラップは、前記吸収要素の側縁より内方に起立起線を有し、前記起立起線より外方部分は前記漏れ防止シートに対して固定関係になく、
前記ギャザーフラップには、その前記吸収要素側縁より外方に延在している部位に、前記起立起線を境にして前記ギャザーフラップ及び前記吸収要素を使用面側に起立させる外側弾性伸縮部材と、並びに前記吸収要素の裏面に位置する部位に内側弾性伸縮部材とを有することを特徴とする生理用ナプキン。
【請求項２】使用面側から体液を受け入れて内部に保持する吸収要素と、
少なくとも長手方向中間において、前記吸収要素の裏面側にあって、かつ前記吸収要素の両側縁より幅方向にそれぞれ延在するギャザーフラップと、
前記ギャザーフラップより裏面側にあって衣類側への体液漏れを防止する漏れ防止シートとを備え、
前記ギャザーフラップは、前記吸収要素の側縁より内方に起立起線を有し、前記起立起線より外方部分は前記漏れ防止シートに対して固定関係になく、
前記ギャザーフラップには、その前記吸収要素側縁より外方に延在している部位に、前記起立起線を境にして前記ギャザーフラップ及び前記吸収要素を使用面側に起立させる外側弾性伸縮部材を有し、
しかも、前記吸収要素の裏面に位置する部位に内側弾性伸縮部材を有することを特徴とする生理用ナプキン。
【請求項３】前記漏れ防止シートは、前記ギャザーフラップの両側縁位置より幅方向外方に延在している請求項１または２記載の生理用ナプキン。
【請求項４】使用面がわから裏面側にかけて；
使用面側から体液を受け入れて内部に保持する吸収要素と、
少なくとも長手方向中間において前記吸収要素の裏面側にあるギャザーフラップを構成するギャザーフラップシートと、
前記吸収要素から裏面側への体液漏れを防止し、前記吸収要素の両側縁位置より幅方向外方に延在している漏れ防止シートとを備え、
前記ギャザーフラップシートは、前記漏れ防止シート上に重ね合わせ状態で固定され、製品の中央側において起立起線を介して折り返され、この折り返し部分が前記漏れ防止シートと非固定とされて前記吸収要素の側縁より外方まで延在し、
その前記ギャザーフラップシートにおいて、前記吸収要素側縁より外方に延在する部位に長手方向に沿って延在する外側弾性伸縮部材、並びに前記吸収要素の裏面に位置する部位に長手方向に沿って延在する内側弾性伸縮部材が配置され、
これらの外側弾性伸縮部材及び内側弾性伸縮部材により、前記起立起線を境にして前記ギャザーフラップ及び前記吸収要素を使用面側に起立するように構成した、
ことを特徴とする生理用ナプキン。
【請求項５】使用面がわから裏面側にかけて；
使用面側から体液を受け入れて内部に保持する吸収要素と、
少なくとも長手方向中間において前記吸収要素の裏面側にあるギャザーフラップを構成するギャザーフラップシートと、
前記吸収要素から裏面側への体液漏れを防止し、前記吸収要素の両側縁位置より幅方向外方に延在している漏れ防止シートとを備え、
前記ギャザーフラップシートは、前記漏れ防止シート上に重ね合わせ状態で固定され、製品の中央側において起立起線を介して折り返され、この折り返し部分が前記漏れ防止シートと非固定とされて前記吸収要素の側縁より外方まで延在し、
その前記ギャザーフラップシートの前記吸収要素側縁より外方に延在する部位に長手方向に沿って延在する外側弾性伸縮部材が配置され、
前記吸収要素の裏面部位に長手方向に沿って延在する内側弾性伸縮部材が配置され、
前記外側弾性伸縮部材により前記起立起線を境にして前記ギャザーフラップ及び前記吸収要素を使用面側に起立させ、前記内側弾性伸縮部材により前記起立起線を境にして前記吸収要素を使用面側に起立させるように構成した、
ことを特徴とする生理用ナプキン。
【請求項６】前記吸収要素は、使用面側に位置し体液を透過させる表面シートと、透過した体液を受け入れて内部に保持する吸収コアとを有し、
前記表面シートは、吸収コアの使用面および両側面を包み、吸収コア裏面側の自由起立線より中央側に延在して巻き込まれ、
前記内側弾性伸縮部材は、前記表面シートと前記吸収コアの裏面側との間に位置している請求項２または５記載の生理用ナプキン。
【請求項７】前記吸収要素には、少なくとも長手方向中間における両側縁より内側位置において、長手方向に沿って起立助長用エンボスが使用面側から形成され、前記外側及び内側弾性伸縮部材は、その起立助長用エンボスより幅方向の外方において長手方向に延在している請求項1〜６のいずれか１項に記載の生理用ナプキン。
【請求項８】前記ギャザーフラップは、前記起立起線より外側に自由起立線を有し、その自由起立線より外方部分は、前記吸収要素と固定関係になく、前記外側弾性伸縮部材は、前記自由起立線より外側部位に配置されている請求項１〜７のいずれか１項に記載の生理用ナプキン。
【発明の詳細な説明】
【０００１】
【発明の属する技術分野】
本発明は、ギャザーフラップを有する生理用ナプキンに関する。
【０００２】
【従来の技術】
生理用ナプキンにおいて、体液の横漏れ防止を図ることはきわめて重要である。このために、特公平７−７１５７０号公報には、両側にギャザーフラップを形成し、このギャザーフラップにて体液の横漏れを堰き止めるようにしたものが開示されている。
【０００３】
【発明が解決しようとする課題】
しかし、この先行例では、ギャザーフラップの収縮により、吸収体の長手方向に関しては、舟形に変形させるものの、幅方向に関してはほとんど変形力が作用しない。したがって、吸収体の両側部に横漏れ防止機能はなく、専らギャザーフラップのみで体液の横漏れを防止するものである。
【０００４】
しかしながら、これではギャザーフラップは肌に接するものの、吸収体が肌と離れることがあり、その結果、体液の吸収性が充分ではない。特にナプキン自体の横ずれを防止するためにウイングを設けた場合、衣類側にナプキンの位置が拘束されるために、その傾向が顕著である。
【０００５】
したがって、本発明の主たる課題は、吸収要素の両側部を裏面側から使用面側に持ち上げ、もって、少なくともその両側部を常に体にフィットさせ、横漏れを防止しつつ吸収要素内部への吸収性を高め、仮にその両側部から横漏れを生じた場合には、ギャザーフラップにて最終的に横漏れを防止することとし、かくして二重の横漏れ防止機能を付与することにある。
【０００６】
【課題を解決するための手段】
上記課題を解決した本発明は次記のとおりである。
＜請求項１記載の発明＞
使用面側から体液を受け入れて内部に保持する吸収要素と、
少なくとも長手方向中間において、前記吸収要素の裏面側にあって、かつ前記吸収要素の両側縁より幅方向にそれぞれ延在するギャザーフラップと、
前記ギャザーフラップより裏面側にあって衣類側への体液漏れを防止する漏れ防止シートとを備え、
前記ギャザーフラップは、前記吸収要素の側縁より内方に起立起線を有し前記起立起線より外方部分は前記漏れ防止シートに対して固定関係になく、
前記ギャザーフラップには、その前記吸収要素側縁より外方に延在している部位に、前記起立起線を境にして前記ギャザーフラップ及び前記吸収要素を使用面側に起立させる外側弾性伸縮部材と、並びに前記吸収要素の裏面に位置する部位に内側弾性伸縮部材とを有することを特徴とする生理用ナプキンである。
【０００７】
（作用効果）
Ａ．吸収要素は使用面側から体液を受け入れて内部に保持するが、裏面側には漏れ防止シートにより透過しない。
Ｂ．ギャザーフラップは、吸収要素側縁より外方に延在している部位に外側弾性伸縮部材を有するので、その収縮力により使用面側に起立するようになる。このギャザーフラップが最終的な横漏れ防止用バリヤーカフスを構成する。
Ｃ．また、起立起線より幅方向外方部分が漏れ防止シートと固定関係にないので、ギャザーフラップ及び吸収要素は、漏れ防止シートに拘束されることなく起立する。しかるに、ギャザーフラップおよび吸収要素は、股間部にそって前後方向に湾曲し、かつそれらの両側縁が起立した状態であっても、漏れ防止シートに拘束されない。従って、使用者がどのような動きをしても効果的に横漏れを防止できる。
Ｄ．さらに、前記起立起線より幅方向外方において、前記吸収要素の裏面に位置する部位にある内側弾性伸縮部材によって、吸収要素の側部は常に体にフィットし、横漏れを防止しつつ吸収要素内部への吸収性を高める。仮に吸収要素の両側部から横漏れを生じた場合にも、前記ギャザーフラップの吸収要素側縁より外方に延在している部位にある外側弾性伸縮部材によって吸収要素の外方に形成されるギャザーフラップによって最終的に横漏れが防止される。
【０００８】
＜請求項２記載の発明＞
使用面側から体液を受け入れて内部に保持する吸収要素と、
少なくとも長手方向中間において、前記吸収要素の裏面側にあって、かつ前記吸収要素の両側縁より幅方向にそれぞれ延在するギャザーフラップと、
前記ギャザーフラップより裏面側にあって衣類側への体液漏れを防止する漏れ防止シートとを備え、
前記ギャザーフラップは、前記吸収要素の側縁より内方に起立起線を有し前記起立起線より外方部分は前記漏れ防止シートに対して固定関係になく、
前記ギャザーフラップには、その前記吸収要素側縁より外方に延在している部位に、前記起立起線を境にして前記ギャザーフラップ及び前記吸収要素を使用面側に起立させる外側弾性伸縮部材を有し、
しかも、前記吸収要素の裏面に位置する部位に内側弾性伸縮部材を有することを特徴とする生理用ナプキンである。
【０００９】
（作用効果）
上記Ａ〜Ｄの作用効果のほか、内側弾性伸縮部材の位置を、前記吸収要素の裏面に位置する部位、としたことで、
Ｅ．さらに、吸収要素の側縁とギャザーフラップの側縁とが独立的に起立するようになり、それぞれが独立して肌へフィットし、横漏れ防止効果が高まる。
Ｆ．さらに、特に弾性伸縮部材を吸収要素自身に配した本発明の場合、弾性伸縮部材の位置を吸収要素の側端縁ではなく、起立起線より幅方向外方における前記吸収要素の裏面部位としたので、吸収要素の側縁が下方から押し上げられるように起立する。しかるに、吸収要素の側端縁は、前記弾性伸縮部材に完全に拘束されず、ある程度の自由度を有するので、装用感に優れる。なお、本発明に言う、吸収要素の裏面に位置する部位とは、吸収要素の一部分であって、かつその裏面側の少なくともその両側縁より１ｍｍ以上内方にある部分をいう。
【００１０】
＜請求項３記載の発明＞  
前記漏れ防止シートは、前記ギャザーフラップの両側縁位置より幅方向外方に延在している請求項１または２記載の生理用ナプキンである。
【００１１】
（作用効果）
上記Ａ〜Ｆの作用効果のほか、
Ｇ．漏れ防止シートは、前記ギャザーフラップの両側縁位置より幅方向外方に延在しているので、仮にギャザーフラップの側縁を越えて体液が外方に漏れたとしても、その延在部分にて体液を止め、ショーツや衣類の汚れを防止できる。
Ｈ．さらに、製品の最終工程において、各材料を最終的に積層した段階で、外形を定めるべく両側をカットする必要があるが、ギャザーフラップの両側縁位置に整合して漏れ防止シートをカットすることが困難であるところ、漏れ防止シートをギャザーフラップの両側縁位置より幅方向外方に延在しておき、その延在位置にてカットするようにすることにより、製品化が容易となる。
【００１２】
＜請求項４記載の発明＞
使用面がわから裏面側にかけて；
使用面側から体液を受け入れて内部に保持する吸収要素と、
少なくとも長手方向中間において前記吸収要素の裏面側にあるギャザーフラップを構成するギャザーフラップシートと、
前記吸収要素から裏面側への体液漏れを防止し、前記吸収要素の両側縁位置より幅方向外方に延在している漏れ防止シートとを備え、
前記ギャザーフラップシートは、前記漏れ防止シート上に重ね合わせ状態で固定され、製品の中央側において起立起線を介して折り返され、この折り返し部分が前記漏れ防止シートと非固定とされて前記吸収要素の側縁より外方まで延在し、
その前記ギャザーフラップシートにおいて、前記吸収要素側縁より外方に延在する部位に長手方向に沿って延在する外側弾性伸縮部材、並びに前記吸収要素の裏面に位置する部位に長手方向に沿って延在する内側弾性伸縮部材が配置され、
これらの外側弾性伸縮部材及び内側弾性伸縮部材により、前記起立起線を境にして前記ギャザーフラップ及び前記吸収要素を使用面側に起立するように構成した、
ことを特徴とする生理用ナプキンである。
【００１３】
（作用効果）
上記Ａ〜Ｄの作用効果のほか、上記Ｇと同様の作用効果を奏し、さらに次記の効果を奏する。
Ｉ．ギャザーフラップは疎水または撥水性不織布を用いることが肌の感触を良好にする。他方、漏れ防止シートはポリエチレンなどのプラスチックシートを使用して液漏れを確実に防止するのが望ましいが、プラスチックシートでは肌の感触が悪い。そこで、不織布シートを用いるギャザーフラップシートを漏れ防止シート上に重ね合わせ状態で固定することにより、プラスチックシートによる感触の悪化を改善できる。
Ｊ．返し領域における起立起線より幅方向外方部分は重ね合わせるギャザーフラップシートと非固定としている。したがって、漏れ防止シートにウイング部を形成し、そのウイング部を衣類の外面への折り返すとき、その折り返しとは関係させずにギャザーフラップ及び吸収要素を自由に起立させることができる。
【００１４】
＜請求項５記載の発明＞
使用面がわから裏面側にかけて；
使用面側から体液を受け入れて内部に保持する吸収要素と、
少なくとも長手方向中間において前記吸収要素の裏面側にあるギャザーフラップを構成するギャザーフラップシートと、
前記吸収要素から裏面側への体液漏れを防止し、前記吸収要素の両側縁位置より幅方向外方に延在している漏れ防止シートとを備え、
前記ギャザーフラップシートは、前記漏れ防止シート上に重ね合わせ状態で固定され、製品の中央側において起立起線を介して折り返され、この折り返し部分が前記漏れ防止シートと非固定とされて前記吸収要素の側縁より外方まで延在し、
その前記ギャザーフラップシートの前記吸収要素側縁より外方に延在する部位に長手方向に沿って延在する外側弾性伸縮部材が配置され、
前記吸収要素の裏面部位に長手方向に沿って延在する内側弾性伸縮部材が配置され、
前記外側弾性伸縮部材により前記起立起線を境にして前記ギャザーフラップ及び前記吸収要素を使用面側に起立させ、前記内側弾性伸縮部材により前記起立起線を境にして前記吸収要素を使用面側に起立させるように構成した、
ことを特徴とする生理用ナプキンである。
【００１５】
（作用効果）
前記Ａ〜Ｇの作用効果に加えてＩ〜Ｊと同様の効果を奏し、
Ｋ．さらに、折り返し領域の自由起立線より幅方向外方部分は、吸収要素と非固定であるほか、返し領域における起立起線より幅方向外方部分は重ね合わせるギャザーフラップシートとも非固定としている。したがって、漏れ防止シートにウイング部を形成し、そのウイング部を衣類の外面へ折り返すとき、その折り返しとは関係させずにギャザーフラップおよび吸収要素の側部を独立して自由に起立させることができる。
【００１６】
＜請求項６記載の発明＞
前記吸収要素は、使用面側に位置し体液を透過させる表面シートと、透過した体液を受け入れて内部に保持する吸収コアとを有し、
前記表面シートは、吸収コアの使用面および両側面を包み、吸収コア裏面側の自由起立線より中央側に延在して巻き込まれ、
前記内側弾性伸縮部材は、前記表面シートと前記吸収コアの裏面側との間に位置している請求項２または５記載の生理用ナプキンである。
【００１７】
（作用効果）
前記Ａ〜Ｋまでの効果に加えて、
Ｌ．弾性伸縮部材が、吸収要素の中でも一般的に不織布などで形成される吸収コアではなく、一般にある程度の強度を有する材料で構成される表面シートにあることで、吸収体側部を起立させたさいの吸収コアの型崩れが防止され、従って吸収要素の起立形状が保持されフィット性が持続する。
【００１８】
＜請求項７記載の発明＞
前記吸収要素には、少なくとも長手方向中間における両側縁より内側位置において、長手方向に沿って起立助長用エンボスが使用面側から形成され、前記外側及び内側弾性伸縮部材は、その起立助長用エンボスより幅方向の外方において長手方向に延在している請求項1〜６のいずれか１項に記載の生理用ナプキンである。
【００１９】
（作用効果）
上記Ａ〜Ｌまでの効果に加えて、
Ｍ．前記吸収要素には、少なくとも長手方向中間における両側縁より内側位置において、長手方向に沿って起立助長用エンボスが使用面側から形成されているので、ギャザーフラップの起立により、吸収要素の両側部が裏面側から使用面側に持ち上げられるとき、起立助長用エンボスに沿って折れるので、吸収要素の両側部が裏面側から使用面側に確実に持ち上げられる。
【００２０】
＜請求項８記載の発明＞
前記ギャザーフラップは、前記起立起線より外側に自由起立線を有し、その自由起立線より外方部分は、前記吸収要素と固定関係になく、前記外側弾性伸縮部材は、前記自由起立線より外側部位に配置されている請求項１〜７記載の生理用ナプキンである。
【００２１】
（作用効果）
Ｎ．ギャザーフラップは、吸収要素の側縁より内側位置において自由起立線を有し、この自由起立線より幅方向外方部分は吸収要素と非固定である。しかるに、ギャザーフラップシートにより吸収要素の側部を拘束していないため、吸収要素の側部が独立的に起立変形可能となる。それぞれが起立した状態では、吸収要素の側部およびギャザーフラップのいずれかが肌と接触するようになり、横漏れ防止効果が高い。
Ｏ．さらに、吸収要素の裏面において、吸収要素の側縁から自由起立線までの部分がギャザーフラップの使用面側との間にポケットとして形成されるので、仮に吸収要素の側縁を体液が越えたとしても、そのポケットに体液が一時的に留まる過程で吸収要素に吸収されるから、ギャザーフラップの起立縁まで達することが少ない。
【００２２】
【発明の実施の形態】
以下本発明の実施の形態を図面を参照しながらさらに詳説する。
＜第１の実施の形態＞
第１の実施の形態は図１〜図６に示してあり、図１の上側が前である。
本発明の生理用ナプキンは、使用面がわから裏面側にかけて；
使用面側から体液を受け入れて内部に保持する吸収要素１０と、
少なくとも長手方向中間において、前記吸収要素１０の裏面側にあって、前記吸収要素１０の両側縁より幅方向外方にそれぞれ延在し、その延在部分に外側弾性伸縮部材２１Ａ，２１Ａを有し、かつ前記吸収要素の裏面に位置する部位に内側弾性伸縮部材２１Ｂ，２１Ｂを有するギャザーフラップ２０と、
前記吸収要素１０から裏面側への体液漏れを防止し、前記吸収要素１０の両側縁位置より幅方向外方に延在している、たとえばポリエチレンシートなどからなる漏れ防止シート３０と、
を備える。
【００２３】
吸収要素１０は、使用面側に位置し体液を透過させる、不織布や好適には外面から内面方向には体液を通すが逆戻りを防止する小孔を有するポリエチレンシートを用いた表面シート１１と、透過した体液を受け入れて内部に保持する綿状粉砕パルプおよび必要によりさらにその上下面もしくは全面を包む吸収紙を有する吸収コア１２とを有している。もちろん、高分子吸収ポリマーを含有させることができる。実施の形態では、表面シート１１は、吸収コア１２の使用面および両側面を包み、下面の自由起立線４０より中央側に延在して巻き込まれている（いわゆる額巻きされている）。
【００２４】
ギャザーフラップ２０は、好適には疎水性または撥水性などの不織布材料からなり、必要ならば体液不透過性プラスチックシートなども用いることが可能な、体液阻止性を有するシート２２からなる。このギャザーフラップ２０を形成するギャザーフラップシート２２は、漏れ防止シート３０の両側部において、その上に重ね合わせ状態でたとえばホットメルト接着剤により固定され（その固定部分を＊印にて図示している）、製品の中央側において折り返され、折り線２２Ｂを境にして幅方向外方に向かい、吸収要素１０の側縁より外方において再度中央側に向かって折り返されて、少なくとも吸収要素１０の側縁より内側の自由起立線４０よりも中央側にまで延在している。前記ギャザーフラップシート２２の、吸収要素１０の側縁より、内側の折り返し端と外側の折り返し端との間の折り返し領域２２Ｃのうち、ギャザーフラップシート２２は、吸収要素１０の側縁より内側の自由起立線４０近傍において吸収要素１０とホットメルト接着剤などにより固定されている。このとき、少なくとも、自由起立線４０より幅方向外方部分２２Ｃ２は、吸収要素１０と非固定である。さらにギャザーフラップシート２２は、その自由起立線４０より内側部分２２Ｃ１において、吸収要素１０側の折り重ね部分がホットメルト接着剤などにより接着されて、袋状のギャザーフラップ２０を構成している。
【００２５】
なお、図示される例では、ギャザーフラップ２０は、吸収要素１０の側縁より外方において再度中央側に向かって折り返されて袋状となっているが、吸収要素１０の側縁より外側において裁断してしまってもよい。
【００２６】
さらに、図示のように、前記折り線２２Ｂより幅方向外方に位置する折り返し領域２２Ｃについては、ギャザーフラップシート２２の漏れ防止シート３０側の折り重ね部分が非固定とされているので、ギャザーフラップ２０の折り返し領域２２Ｃ全体が自由に使用面側に起立する。すなわち、前記折り線２２Ｂは、ギャザーフラップ２０の起立起線となる。
【００２７】
他方、吸収要素１０の少なくとも長手方向中間における、両側縁より内側位置において長手方向に沿って折り用エンボス５１，５１が使用面側から形成されている。この折り用エンボス５１，５１は、ナプキンの側外方に円弧中心を有する円弧またはほぼ円弧状曲線としてある。さらに、折り用エンボス５１，５１前後を繋いで方向に円弧またはほぼ円弧状曲線による繋ぎエンボス５２，５２が形成されている。これらのエンボス５１，５１，５２，５２で閉じられた領域では吸収コア１２が中高とされている。したがって、エンボス５１，５１，５２，５２領域内において吸収コア１２の中高部に集中的に吸収を図る構成とされている。
【００２８】
図２はシートホットメルト接着剤などによる相互の固定部と非固定部との関係を示している。前後端部の固定部としては、表面シート１１と漏れ防止シート３０とが、漏れ防止シート３０とギャザーフラップシート２２とが、ギャザーフラップシート２２の折り返し部分相互が固定されている。前後端部以外の固定部は図３および図４に図示のとおりである。
【００２９】
非固定部としては、図３および図４に図示されているほか、図２の実線のハッチング領域Ｚ１が、ギャザーフラップシート２２の漏れ防止シート３０側の折り重ね部分相互を固定していない領域であり、破線のハッチング領域Ｚ２で示す部分が吸収要素１０とギャザーフラップシート２２とを固定していない領域である。
【００３０】
一方、前記ギャザーフラップ２０には、ギャザーフラップ２０および吸収要素１０を使用面側に湾曲させるとともに、それらの側部を使用面側に起立させる外側弾性伸縮部材２１Ａおよび内側弾性伸縮部材２１Ｂが設けられている。それらの弾性伸縮部材は、直接肌に接触しないように、図示されるように、袋状とされたギャザーフラップ２０の内部にあることが好ましい。前記外側弾性伸縮部材２１Ａは、前記ギャザーフラップ２０の吸収要素１０側縁より外方に延在している部位に配され、内側弾性伸縮部材２１Ｂは、前記起立起線２２Ｂより幅方向外方において、前記吸収要素１０の裏面に位置する部位、に配されている。本実施の形態において、前記吸収要素１０の裏面に位置する部位とは、吸収要素１０の裏面側であって、かつ幅方向が吸収要素１０の側縁より内方となるギャザーフラップ２０の一部分を言う。
【００３１】
前記延在部分にある外側弾性伸縮部材２１Ａの収縮によって、ギャザーフラップ２０は、吸収要素１０側縁より外方において起立し、最終的に横漏れを防止するバリヤーカフスを形成する。さらに、内側弾性伸縮部材２１Ｂの収縮との相互作用によって、吸収要素１０およびギャザーフラップ２０を使用面側において前後方向に湾曲させるとともに、吸収要素１０の側部を下方から使用面側へと持ち上げて起立させる。このとき内側弾性伸縮部材２１Ｂが、常に吸収要素１０の側下部に位置するので、使用者が激しく運動しても、吸収要素１０の側部の起立形状が保持される。従って、どのような状態でも体液が吸収要素１０の内方へ効果的に誘導され横漏れが防止される。さらに、吸収要素１０の起立側部を越えても、その外方にギャザーフラップ２０によるバリヤーカフスが形成されているので、横漏れすることがない。
【００３２】
ここで、何れの弾性伸縮部材２１Ａ，２１Ｂも、糸ゴムのほか、弾性伸縮性発泡体（たとえば発泡ウレタン）などの採用が可能であり、図示されるような、製品の長手方向一方側につき、外側弾性伸縮部材２１Ａを２本、内側弾性伸縮部材２１Ｂを１本、配した例が好適な例である。
【００３３】
一方、弾性伸縮部材２１Ａ，２１Ｂとギャザーフラップシート２２との接着長さは５０〜１５０ｍｍ、特に７０〜１１０ｍｍが望ましい。さらに伸張率が１００〜３００％の間で、１００〜２００％が望ましく、特に好ましくは１５０％である。さらに、この１５０％の伸長時の応力が１０〜５０ｇｆ／ｍｍ2であることが好ましい。このとき、外側弾性伸縮部材２１Ａの縮しろは、内側弾性伸縮部材２１Ｂの縮しろと同長とするか、または長くすることが好適である。
【００３４】
ギャザーフラップ２０の吸収要素１０の側縁より延在する幅Ｗ１は、２〜２０ｍｍ、特に１０ｍｍが望ましい。ポケット幅Ｗ２は２〜２０ｍｍ、ならびに２２Ｃの幅は２０〜４０ｍｍが望ましい。その長さは５０〜１２０ｍｍが好適である。２２Ｃ２の幅は１０〜３０ｍｍが好適である。
【００３５】
かかる構成の下で、本発明のナプキンを装着する場合には、漏れ防止シート３０の裏面（表面）に設けた粘着剤（図示せず）をショーツ内面に当てて仮止めするとともに、ウイング部３１をショーツの外面に巻き込み粘着剤（図示せず）により仮固定する。
【００３６】
装着状態を概念的に図５および図６に示した。ナプキンは前後方向に股間部に沿って湾曲する。このとき、外側弾性伸縮部材２１Ａ，２１Ａの収縮力により、ギャザーフラップ２０の側部が起立する。このギャザーフラップは、吸収要素１０の側縁より幅方向外方に延在した延在部分に弾性伸縮部材２１Ａを有するので、その収縮力により使用面側に起立するようになる。したがって、ギャザーフラップ２０が最終的な横漏れ防止用バリヤーカフスを構成する。加えて、ギャザーフラップ２０の起立、および吸収要素１０の裏面に位置する内側弾性伸縮部材２１Ｂの収縮によって、吸収要素１０の両側部が裏面側から使用面側に持ち上げられる。その結果、少なくともその両側部が常に体にフィットし、横漏れを防止しつつ吸収要素２０内部への吸収性を高める。仮にその両側部から横漏れを生じた場合には、ギャザーフラップ２０にて最終的に横漏れを防止する。
【００３７】
前記ギャザーフラップ２０は、吸収要素１０の側縁より内側位置において自由起立線４０を有し、この自由起立線４０より幅方向外方部分は吸収要素１０と非固定である。しかるに、ナプキンの装着時において吸収要素１０は股間部に沿って前後方向に湾曲する際に、ギャザーフラップ２０の構成シート２２により吸収要素１０の側部を完全に拘束していないため、吸収要素１０の側部は吸収要素１０の湾曲変形に伴って独立して使用面側へ起立変形し、ギャザーフラップ２０も独立して起立変形する。従って、吸収要素１０の側部およびギャザーフラップ２０のいずれかが肌と接触するようになり、横漏れ防止効果が高い。さらに、吸収要素１０の側下部に、内側弾性伸縮部材２１Ｂが位置しているので、吸収要素の側部がヨレたとしても再度起立形状に戻る。
【００３８】
さらに、吸収要素１０の裏面において、吸収要素１０の側縁から自由起立線４０までの部分がギャザーフラップ２０の使用面との間にポケットＰとして形成されるので、仮に吸収要素１０の側縁を体液が越えたとしても、そのポケットＰに体液が一時的に留まる過程で吸収要素１０に吸収されるから、ギャザーフラップ２０の起立縁まで達することが少ない。
【００３９】
さらに、ギャザーフラップ２０の自由起立線４０より幅方向外方部分２２Ｃ２は、吸収要素１０と非固定であるほか、ギャザーフラップシート２２の漏れ防止シート３０側の折り重ね部分２２Ｃが非固定であり、したがって漏れ防止シート３０と無関係としてあるので、漏れ防止シート３０のたとえばウイング部３１の衣類の外面への折り返しとは関係させずに、ギャザーフラップ２０および吸収要素１０の側部を自由に起立させることができる。
【００４０】
＜第２の実施の形態＞  
上記第１の実施の形態においては、内側弾性伸縮部材２１Ｂは、袋状のギャザーフラップ２０内にある。これに対して、図７に示すように、前記内側弾性伸縮部材２１Ｂは、前記起立起線２２Ｂより幅方向外方における前記吸収要素１０の裏面部位にあってもよい。本実施の形態において、吸収要素１０の裏面に位置する部位とは、吸収要素１０の一部分であって、かつその裏面側の少なくともその両側縁より１ｍｍ以上内方にある部分をいう。内側弾性伸縮部材２１Ｂは、特に、吸収要素１０を構成する表面シート１１に接着するのが好適である。
【００４１】
このように、ギャザーフラップ２０ではなく、吸収要素１０自体に内側弾性伸縮部材２１Ｂを設けた場合は、前記吸収要素１０の側縁の起立は、ギャザーフラップ２０の起立、すなわち外側弾性伸縮部材２１Ａの収縮に完全に拘束されない。しかるに、吸収要素１０の側部は、ある程度独立的に起立し、ギャザーフラップ２０の動きに影響されずに、吸収要素１０自身の形状を保持することができる。特に、本発明では、吸収要素１０の側縁ではなく裏面に位置する部位に内側弾性伸縮部材２１Ｂを配したことで、吸収要素１０の側縁は拘束されずに自由に動くため装用感にも優れる。
【００４２】
＜第３の実施の形態＞
本発明においては、第１および第２の実施の形態において、内側弾性伸縮部材２１Ｂの位置を、自由起立線４０の内側部位とすることもできる。第２の実施の形態において、内側弾性伸縮部材２１Ｂの位置を、自由起立線４０の内側部位とした例を図８に示す。
【００４３】
＜その他の実施の形態＞
その他、何れの実施の形態においても、自由起立線を設けずに、ギャザーフラップを吸収要素の側縁まで固定しても、本発明の目的は達成できる。例えば、第２の実施の形態において、自由起立線を設けず、ギャザーフラップを吸収要素の側縁まで固定した例を図９に示す。
【００４４】
【発明の効果】
以上のとおり、本発明によれば、吸収要素の両側部を効果的に配置した２箇所の弾性伸縮部材によって裏面側から使用面側に持ち上げ、もって、少なくともその両側部を常に体にフィットさせ、さらにフィットした状態で保持し、横漏れを防止しつつ吸収要素内部への吸収性を高めることができる。そして、仮にその両側部から横漏れを生じた場合には、ギャザーフラップにて最終的に横漏れを防止し、かくして二重の横漏れ防止機能を付与することができる。
【図面の簡単な説明】
【図１】
本発明の生理用ナプキンの使用面側からの平面図である。
【図２】
固定および非固定部分の説明図である。
【図３】
図１の３−３線矢視図である。
【図４】
その要部拡大断面図である。
【図５】
使用状態の要部拡大断面図である。
【図６】
使用状態の斜視図である。
【図７】
第２の実施の形態の要部拡大断面図である。
【図８】
第３の実施の形態の要部拡大断面図である。
【図９】
その他の実施の形態の要部拡大断面図である。
【符号の説明】
１０…吸収要素、１１…表面シート、１２…吸収コア、２０…ギャザーフラップ、２１Ａ，２１Ｂ…弾性伸縮部材、２２…ギャザーフラップシート、３０…漏れ防止シート、３１…ウイング部、４０…自由起立線、５１，５２…エンボス。
【手続補正２】
【補正対象書類名】図面
【補正対象項目名】図４
【補正方法】変更
【補正の内容】
【図４】
2001224629.tif 000001
【手続補正３】
【補正対象書類名】図面
【補正対象項目名】図９
【補正方法】変更
【補正の内容】
【図９】
2001224629.tif 000002